【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
レンズを移動させるための第１の操作部材と、
前記レンズを移動させるための、前記第１の操作部材と異なる第２の操作部材と、
前記第１の操作部材の基準位置情報を記憶する記憶手段と、
前記第１の操作部材または前記第２の操作部材の操作に基づいて、前記レンズの位置を制御する制御手段とを有し、
前記制御手段は、前記記憶手段に記憶された基準位置情報の示す位置からの前記第１の操作部材の操作量に基づいて前記レンズの移動量を制御し、前記第１の操作部材の操作後に前記第２の操作部材の操作が行われた場合には、前記記憶手段に記憶されている前記基準位置をキャンセルすることを特徴とする光学機器。
【請求項２】
レンズを移動させるための第１の操作部材と、
前記レンズを移動させるための、前記第１の操作部材と異なる第２の操作部材と、
前記第１の操作部材または前記第２の操作部材の操作に基づいて、前記レンズの位置を制御する制御手段とを有し、
前記制御手段は、前記第１の操作部材の第１の位置からの操作量に応じて前記レンズの位置を制御するとともに、前記第２の操作部材の操作が為された後に再び前記第１の操作部材の操作が為された場合、前記第１の位置の情報から更新された第２の位置からの操作量に応じて前記レンズの位置を制御することを特徴とする光学機器。
【請求項３】
前記第１の操作部材は、無限に回転可能であることを特徴とする請求項１または２に記載の光学機器。
【請求項４】
前記制御手段は、前記第１の操作部材の操作が停止されても、前記第２の位置からの前記第１の操作部材の操作量に対応する前記レンズの目標位置に前記レンズが到達するまでは、前記レンズを移動させることを特徴とする請求項１ないし３のいずれか１項に記載の光学機器。
【請求項５】
レンズを移動させるための操作部材と、
前記操作部材の基準位置情報を記憶する記憶手段と、
前記操作部材の操作に基づいて、前記レンズの位置を制御する制御手段とを有し、
前記制御手段は、前記記憶手段に記憶された基準位置情報の示す位置からの前記操作部材の操作量に基づいて前記レンズの移動量を制御し、前記操作部材の操作量に対応する前記レンズの目標位置が前記レンズの可動範囲を超える場合には、前記記憶手段に記憶されている前記基準位置をキャンセルすることを特徴とする光学機器。
【請求項６】
レンズを移動するための操作部材と、
前記操作部材の操作に基づいて、前記レンズの位置を制御する制御手段とを有し、
前記制御手段は、前記操作部材の第１の位置からの操作量に応じて前記レンズの位置を制御するとともに、前記操作部材の操作量に対応する前記レンズの目標位置が前記レンズの可動範囲を超える場合には、前記第１の位置の情報から更新された第２の位置からの操作量に応じて前記レンズの位置を制御することを特徴とする光学機器。
【請求項７】
前記操作部材は、無限に回転可能であることを特徴とする請求項５または６に記載の光学機器。
【請求項８】
前記制御手段は、前記操作部材の操作が停止されても、前記第２の位置からの前記操作部材の操作量に対応する前記レンズの目標位置に前記レンズが到達するまでは、前記レンズを移動させることを特徴とする請求項５ないし７のいずれか１項に記載の光学機器。
【請求項９】
前記レンズは、ズームレンズもしくはフォーカスレンズ、または、両方のレンズであることを特徴とする請求項１ないし８のいずれか１項に記載の光学機器。
【請求項１０】
撮像レンズもしくは撮像装置であることを特徴とする請求項１ないし９のいずれか１項に記載の光学機器。
【請求項１１】
レンズを駆動する駆動手段、前記レンズを移動させるための第１の操作部材、および、前記第１の操作部材の操作量を検出する検出手段を備えた撮影レンズが装着可能な撮像装置であって、
前記検出手段からの操作量信号を受信する受信手段と、
前記レンズを移動させるための第２の操作部材と、
前記第１の操作部材または前記第２の操作部材の操作に基づいて、前記レンズの位置を制御する制御手段とを有し、
前記制御手段は、前記第１の操作部材の第１の位置からの操作量に応じて前記レンズの位置を制御するとともに、前記第２の操作部材の操作が為された後に再び前記第１の操作部材の操作が為された場合、前記第１の位置の情報から更新された第２の位置からの操作量に応じて前記レンズの位置を制御することを特徴とする撮像装置。
【請求項１２】
レンズを駆動する駆動手段、前記レンズを移動させるための操作部材、および、前記操作部材の操作量を検出する検出手段を備えた撮影レンズが装着可能な撮像装置であって、
前記操作部材の操作に基づいて、前記レンズの位置を制御する制御手段を有し、
前記制御手段は、前記操作部材の第１の位置からの操作量に応じて前記レンズの位置を制御するとともに、前記操作部材の操作量に対応する前記レンズの目標位置が前記レンズの可動範囲を超える場合には、前記第１の位置の情報から更新された第２の位置からの操作量に応じて前記レンズの位置を制御することを特徴とする撮像装置。
【請求項１３】
レンズを移動させるための第２の操作部材、および、前記第２の操作部材の操作に基づいて前記レンズの位置を制御する制御手段を備えた撮像装置と装着可能なレンズ装置であって、
レンズと、
前記レンズを駆動する駆動手段と、
前記レンズを移動させるための第１の操作部材とを有し、
前記レンズは、前記第１の操作部材の第１の位置からの操作量に応じて位置を制御されるとともに、前記第２の操作部材の操作が為された後に再び前記第１の操作部材の操作が為された場合、前記第１の位置の情報から更新された第２の位置からの操作量に応じて位置を制御されることを特徴とするレンズ装置。
【請求項１４】
操作部材の操作に基づいてレンズの位置を制御する制御手段を備えた撮影装置と装着可能なレンズ装置であって、
レンズと、
前記レンズを駆動する駆動手段と、
前記レンズを移動させるための操作部材とを有し、
前記レンズは、前記操作部材の第１の位置からの操作量に応じて位置を制御されるとともに、前記操作部材の操作量に対応する前記レンズの目標位置が前記レンズの可動範囲を超える場合には、前記第１の位置の情報から更新された第２の位置からの操作量に応じて位置を制御されることを特徴とするレンズ装置。
【手続補正２】
【補正対象書類名】明細書
【補正対象項目名】００２２
【補正方法】変更
【補正の内容】
【００２２】
同じく上記目的を達成するために、本発明は、レンズを移動させるための操作部材と、前記操作部材の操作に基づいて、前記レンズの位置を制御する制御手段とを有し、前記制御手段が、前記操作部材の第１の位置からの操作量に応じて前記レンズの位置を制御するとともに、前記操作部材の操作量に対応する前記レンズの目標位置が前記レンズの可動範囲を超える場合には、前記第１の位置の情報から更新された第２の位置からの操作量に応じて前記レンズの位置を制御する光学機器とするものである。
【手続補正３】
【補正対象書類名】明細書
【補正対象項目名】００２４
【補正方法】変更
【補正の内容】
【００２４】
同じく上記目的を達成するために、本発明は、レンズを駆動する駆動手段、前記レンズを移動させるための操作部材、および、前記操作部材の操作量を検出する検出手段を備えた撮影レンズが装着可能な撮像装置であって、前記操作部材の操作に基づいて、前記レンズの位置を制御する制御手段を有し、前記制御手段が、前記操作部材の第１の位置からの操作量に応じて前記レンズの位置を制御するとともに、前記操作部材の操作量に対応する前記レンズの目標位置が前記レンズの可動範囲を超える場合には、前記第１の位置の情報から更新された第２の位置からの操作量に応じて前記レンズの位置を制御する撮像装置とするものである。
【手続補正４】
【補正対象書類名】明細書
【補正対象項目名】００２５
【補正方法】変更
【補正の内容】
【００２５】
同じく上記目的を達成するために、本発明は、レンズを移動するための第２の操作部材、および、前記第２の操作部材の操作に基づいて前記レンズの位置を制御する制御手段を備えた撮像装置と装着可能なレンズ装置であって、レンズと、前記レンズを駆動する駆動手段と、前記レンズを移動させるための第１の操作部材とを有し、前記レンズが、前記第１の操作部材の第１の位置からの操作量に応じて位置を制御されるとともに、前記第２の操作部材の操作が為された後に再び前記第１の操作部材の操作が為された場合、前記第１の位置の情報から更新された第２の位置からの操作量に応じて位置を制御されるレンズ装置とするものである。